(57)【要約】【課題】本発明は、輪状絶縁カバーの外縁の壁部を二重状とし、その間の溝部を用いて輪状巻線カバーを取付けることを目的とする。【解決手段】本発明による回転検出器用ステータ構造は、ステータ本体（１）に設けられた輪状絶縁カバー（３、４）の外縁に二重状の壁部（３Ａ、３Ｂ）を設け、内側壁部（３Ａ）でワニス含浸剤を止め、各壁部（３Ａ、３Ｂ）間の溝部（５０）に輪状巻線カバー（８、９）を取付ける構成である。【選択図】　　　　図１
2004037308.tif 000002
【特許請求の範囲】
【請求項１】
全体形状が輪状をなし内方へ向けて突出する複数の磁極（２）を有するステータ体（１）と、前記各磁極（２）に第１、第２輪状絶縁カバー（３、４）を介して設けられたステータ巻線（５）と、前記ステータ巻線（５）を覆うため前記第１、第２輪状絶縁カバー（３、４）に設けられた第１、第２輪状巻線カバー（８、９）とを備えた回転検出器用ステータ構造において、
前記第１、第２輪状絶縁カバー（３、４）の外縁位置に形成され互いに径が異なると共に軸方向に突出する内側壁部（３Ｂ）及び外側壁部（３Ａ）と、前記内側及び外側壁部（３Ｂ、３Ａ）間に形成された溝部（５０）とを有し、前記第１、第２輪状巻線カバー（８、９）は前記溝部（５０）に位置決めされている構成よりなることを特徴とする回転検出器用ステータ構造。
【請求項２】
前記内側及び外側壁部（３Ｂ、３Ａ）は馬蹄型をなすことを特徴とする請求項１記載の回転検出器用ステータ構造。
【発明の詳細な説明】
【０００１】
【発明の属する技術分野】
本発明は、回転検出器用ステータ構造に関し、特に、各輪状絶縁カバーの外縁位置に外側壁部と内側壁部とによる溝部を形成し、内側壁部によってワニス含浸剤を受け止め、各壁部間の溝部によって輪状巻線カバーの位置決めを確実に行うようにするための新規な改良に関する。
【０００２】
【従来の技術】
従来、用いられていたこの種の回転検出器用ステータ構造としては、例えば、図５から図８で示される構成を挙げることができる。
図５から図８において、符号１で示されるものは、ロータ１Ａを内設出来るように全体形状が輪状をなすと共に内方に向けて複数の磁極２が突出して形成されたステータ体であり、このステータ体１の両面には各磁極２に沿って突出した形状を有する一対の第１、第２輪状絶縁カバー３、４が設けられ、この各輪状絶縁カバー３、４を介して各磁極２にステータ巻線５が巻回されている。
【０００３】
前記各輪状絶縁カバー３、４の中の一方の第２輪状絶縁カバー４の一部は、半径方向に沿って外側に突出して形成されると共に複数の端子ピン６を有する端子ピン保持部７が一体に形成されている。
前記第１、第２輪状絶縁カバー３、４の外縁には、ほぼ輪状に形成され軸方向に突出する第１、第２壁部３Ａ、４Ａが一体に形成されている。
前記各輪状絶縁カバー３、４の外側すなわち外面には、この各壁部３Ａ、４Ａを位置決め手段として、図６の一点鎖線にて示されるように、第１、第２輪状巻線カバー８、９が設けられ、各輪状巻線カバー８、９は前記各壁部３Ａ、４Ａと前記磁極２に対応して軸方向に立上がっている磁極立上がり壁２Ａとの間に嵌入して位置決めされている。
【０００４】
【発明が解決しようとする課題】
従来の回転検出器用ステータ構造は、以上のように構成されていたため、次のような課題が存在していた。
すなわち、各外側壁部と各磁極立上がり壁との間に形成されステータ巻線が巻回される部分は、平坦な溝状に形成されているため、巻回されたステータ巻線に対して絶縁固定用のワニス含浸剤を塗布した場合、このワニス含浸剤が外側壁部に付着し、この外側壁部をガイドとして各輪状巻線カバーを嵌入位置決めする場合に、嵌入が困難等の支障が発生していた。
また、このワニス含浸剤が付着した部分を手作業で除去しなければならなかった。
【０００５】
本発明は、以上のような課題を解決するためになされたもので、特に、各輪状絶縁カバーの外縁位置に外側壁部と内側壁部とによる溝部を形成し、内側壁部によってワニス含浸剤を受け止め、各壁部間の溝部によって輪状巻線カバーの位置決めを確実に行うようにした回転検出器用ステータ構造を提供することを目的とする。
【０００６】
【課題を解決するための手段】
本発明による回転検出器用ステータ構造は、全体形状が輪状をなし内方へ向けて突出する複数の磁極を有するステータ体と、前記各磁極に第１、第２輪状絶縁カバーを介して設けられたステータ巻線と、前記ステータ巻線を覆うため前記第１、第２輪状絶縁カバーに設けられた第１、第２輪状巻線カバーとを備えた回転検出器用ステータ構造において、前記第１、第２輪状絶縁カバーの外縁位置に形成され互いに径が異なると共に軸方向に突出する内側壁部及び外側壁部と、前記内側及び外側壁部間に形成された溝部とを有し、前記第１、第２輪状絶縁カバーは前記溝部に位置決めされている構成であり、また、前記内側及び外側壁部は馬蹄型をなす構成である。
【０００７】
【発明の実施の形態】
以下、図面と共に本発明による回転検出器用ステータ構造の好適な実施の形態について説明する。尚、従来例と同一又は同等部分については、同一符号を付して説明する。
図１から図４において、符号１で示されるものは、ロータ１Ａを内設できるように全体形状が輪状をなすと共に内方にむけて複数の磁極２が突出して形成されたステータ体であり、このステータ体１の両面には各磁極２に沿って突出した形状を有する一対の第１、第２輪状絶縁カバー３、４が設けられ、この各輪状絶縁カバー３、４を介して各磁極２にステータ巻線５が巻回されている。
【０００８】
前記各輪状絶縁カバー３、４の中の一方の第２輪状絶縁カバー４の一部は、半径方向に沿って外側に突出して形成されると共に、複数の端子ピン６を有する端子ピン保持部７が一体に形成されている。
前記第１、第２輪状絶縁カバー３、４の外縁には、ほぼ輪状に形成され軸方向に突出する外側壁部３Ａが一体に形成されている。
【０００９】
前記外側壁部３Ａの内側には、この外側壁部３Ａから所定間隔をおいて一体形成されると共にこの外側壁部３Ａとは互いに径が異なる内側壁部３Ｂが形成されている。
前記外側壁部３Ａと内側壁部３Ｂとの間には、溝部５０が形成されている。
従って、前記各輪状絶縁カバー３、４の各磁極２に対応した位置に軸方向に突出して形成された各磁極立上がり壁２Ａと前記内側壁部３Ｂとの間に前記ステータ巻線５が巻回されている。尚、各壁部３Ａ、３Ｂは、端子ピン保持部７に対応する部分が省略されているため、全体形状としてはほぼ輪状の馬蹄型をなしている。
【００１０】
前記各輪状絶縁カバー３、４の外側すなわち外面には、この各内側壁部３Ｂと磁極立上がり壁２Ａとの間にこれを位置決め手段として、図２の一点鎖線にて示されるように、第１、第２輪状巻線カバー８、９が嵌入して取付けられている。
【００１１】
次に、前述の構成において、ステータ巻線５を絶縁固定するためにステータ巻線５をワニス含浸剤（図示せず）でポッティング状に固めた場合、このワニス含浸剤は内側壁部３Ｂでせき止められ、溝部５０内には到達することがない。そのため、図２のように磁極立上がり壁２Ａと溝部５０との間に各輪状巻線カバー８、９を装着した場合、前記ワニス含浸剤によって支障を受けることなく、各輪状巻線カバー８、９によってステータ巻線５を覆うことができる。
【００１２】
【発明の効果】
本発明による回転検出器用ステータ構造は、以上のように構成されているため、次のような効果を得ることができる。
すなわち、各輪状絶縁カバーの外縁に形成された壁部が二重状に形成されてその間に溝部が形成されているため、ステータ巻線をワニスで含浸する際のワニスが溝部内に入り込むことがなく、各輪状巻線カバーを確実かつ容易に輪状絶縁カバー上に取付けることができる。
また、ワニスが従来のように付着し、付着したワニスの除去をする必要がなく、回転検出器用ステータの組立効率を大幅に向上させることができる。
【図面の簡単な説明】
【図１】本発明による回転検出器用ステータ構造を示す平面図である。
【図２】図１の要部を示す拡大断面図である。
【図３】図１の裏面図である。
【図４】図１の断面図である。
【図５】従来構成を示す平面図である。
【図６】図５の要部を示す拡大断面図である。
【図７】図５の裏面図である。
【図８】図５の断面図である。
【符号の説明】
１　　ステータ体
２　　磁極
２Ａ　　磁極立上がり壁
３、４　　第１、第２輪状絶縁カバー
３Ａ　　外側壁部
３Ｂ　　内側壁部
５　　ステータ巻線
６　　端子ピン
７　　端子ピン保持部
８　　第１輪状巻線カバー
９　　第２輪状巻線カバー
５０　　溝部
【図１】
2004037308.tif 000003
【図２】
2004037308.tif 000004
【図３】
2004037308.tif 000005
【図４】
2004037308.tif 000006
【図５】
2004037308.tif 000007
【図６】
2004037308.tif 000008
【図７】
2004037308.tif 000009
【図８】
2004037308.tif 000010